(57)【要約】【課題】回路板に簡単に組み合わせでき簡単に回路板から取り外せる太陽光発電装置を提案する。【解決手段】本考案の提供する太陽光発電装置は、簡単に回路板に装着でき回路板から簡単に取り外せるものである。本考案の太陽光発電装置は、第一導電体、絶縁体、及び第二導電体を重ね合わせ、第一導電体の導電突出部を絶縁体及び第二導電体に貫通させた後、導電部を露出するものであり、太陽光変換ユニットは導電部に設け、並びに、第二導電体に電気接続しており、また、本考案の太陽光発電装置を回路板に装着する場合は、電極の正負を考えずにでき、組立てが簡単である。よって、本考案の太陽光発電装置は、回路板に簡単に装着でき回路板から簡単に取り外せるものである。【選択図】図１
0003136013.tif 000002
【実用新案登録請求の範囲】
【請求項１】
一つの第一導電体と、一つの絶縁体と、一つの第二導電体と、一つの太陽光変換ユニットにより構成される太陽光発電装置において、
該第一導電体は、導電突出部を備えており、
該絶縁体は、一つの絶縁嵌合部を備えており、絶縁体を第一導電体に設けると、絶縁嵌合部は導電突出部に嵌合され、並びに、導電突出部は導電部を露出し、
該第二導電体は、一つの貫通孔を備えており、第二導電体を絶縁体に設けると、絶縁嵌合部は貫通孔を貫通し、また、第二導電体は、絶縁体によって第一導電体と電気隔離しており、
該太陽光変換ユニットにおいて、それが発電する第一電極は導電部と電気接触しており、該太陽光変換ユニットの発電する最低一つの第二電極は第二導電体と電気接続することを特徴とする太陽光発電装置。
【請求項２】
前記太陽光発電装置は、更に一つの集光カバーを含んでおり、その集光カバーは太陽光変換ユニットを被冠することを特徴とする請求項１記載の太陽光発電装置。
【請求項３】
前記絶縁体を前記第一導電体に設け、前記第二導電体を前記絶縁体に設けた後、本体が形成され、その本体は方柱状を成すことを特徴とする請求項１記載の太陽光発電装置。
【考案の詳細な説明】
【技術分野】
【０００１】
本考案は、太陽光発電装置に関するものであり、特に、回路板に簡単に組み合わせでき簡単に回路板から取り外せるものである。
【背景技術】
【０００２】
近年来、地球の石化燃料は徐々に欠乏し、温室効果が日に日に深刻な問題となっている状況の下、汚染のないエネルギー源が人類の為に開発されている。例えば、水力発電、風力発電、地熱発電や太陽光発電等である。その内、太陽光発電は、太陽光板が必要なだけである故、人々に比較的多く利用されている。しかしながら、公知の太陽光板は、組み立て時、先ずサポートフレームを地面に螺設固定し、更に、太陽光板をサポートフレームに螺設固定した後、太陽光板電極の正負を判別し、更にそれをその他の電力消費装置もしくは電力貯蓄装置に連結しなければならず、組み立て過程は非常に面倒である。組立て過程が繁雑であるのと同様に、取り外し過程もまた非常に面倒で、また、太陽光板の拡張応用にも制限がある。
【考案の開示】
【考案が解決しようとする課題】
【０００３】
よって、回路板への取り付けが簡単で回路板からの取り外しも簡単な太陽光発電装置をいかに作り出すかが、本考案が積極的に開示した理由である。
【課題を解決するための手段】
【０００４】
前述の公知の太陽光板の欠点に関して、考案人は、それが完全なものではない故に、精魂込めて専心研究をしてこの欠点を克服するべきであることを感じ、当該産業に従事し長年に渡り累積した経験に基づき、太陽光発電装置を開発した。それにより、太陽光発電装置は回路板に簡単に装着でき、回路板から簡単に取り外しするという目的を達成することができる。
【０００５】
本考案の主な目的は、太陽光発電装置を提供することにあり、それは、第一導電体、絶縁体、第二導電体を堆積し、第一導電体の導電突出部を絶縁体及び第二導電体に貫通させると導電部を露出させ、それにより、太陽光変換ユニットは導電部に装着可能となり、並びに第二導電体に電気接続し、更に、太陽光発電装置を回路板に簡単に装着し簡単に回路板から取り外す目的を達成する。
【０００６】
前述の目的を達成する為、本考案の太陽光変換ユニットの結構は、一つの第一導電体と、一つの絶縁体と、一つの第二導電体と、一つの太陽光変換ユニットを含んでおり、該第一導電体は、導電突出部を備えており、該絶縁体は、一つの絶縁嵌合部を備え、第一導電体に設けた絶縁体によって、絶縁嵌合部を導電突出部に嵌合し、並びに、導電突出部は一つの導電部から露出しており、該第二導電体は、一つの貫通孔を備えており、絶縁体に設けた第二導電体によって絶縁嵌合部は貫通孔を貫通し、第二導電体は、絶縁体によって第一導電体と電気隔離しており、該太陽光変換ユニットは、それが発電する第一電極は導電部と電気接触しており、該太陽光変換ユニットの発電する最低一つの第二電極は第二導電体と電気接続している。これにより、本考案の太陽光発電装置は、回路板に簡単に装着し回路板から簡単に取り外せる。
【考案の効果】
【０００７】
以上説明したように、本考案の太陽光発電装置は、回路板への装着が簡単で回路板からの取り外しも簡単であることを特徴とする。
【考案を実施するための最良の形態】
【０００８】
本考案の目的、特徴及び効果を十分に理解して戴く為に、下記の具体的実施例に添付図面を合わせて、本考案に一つの詳細説明を加える。
【０００９】
（実施例１、２）
図１から図４にそれぞれ、最良で具体的な、本考案実施例１の分解図及び組み合わせ図、実施例２の組み合わせ図及び側面断面図を示す。図に示すとおり、本考案の太陽光発電装置は、一つの第一導電体１、一つの第二導電体２、一つの絶縁体３、一つの太陽光変換ユニット４、一つの集光カバー６を含む。
【００１０】
その内、第一導電体１は、一つの導電突出部１１を含んでおり、その導電突出部１１は円柱状を成している。
【００１１】
絶縁体３は、一つの絶縁嵌合部３１を備えており、その絶縁嵌合部３１は中空円柱状を成し、絶縁体３を第一導電体１に設ける場合、中空円柱状の絶縁嵌合部３１は円柱状の導電突出部１１に嵌合し、並びに、導電突出部１１は導電部１１１を露出させる。
【００１２】
第二導電体２は、一つの貫通孔２１を備えており、第二導電体２を絶縁体３に設ける場合、中空円柱状の絶縁嵌合部３１は貫通孔２１を貫通し、第二導電体２は、絶縁体３によって第一導電体１と電気隔離する。
【００１３】
太陽光変換ユニット４が発電する第一電極４１は、導電部１１１に電気接触しており、太陽光変換ユニット４が発電する四つの第二電極４２は、第二導電体２に電気接続する。
【００１４】
集光カバー６は、太陽光変換ユニット４及び四つの第二電極４２を被冠しており、集光カバー６によって太陽光線は太陽光変換ユニット４上に集められて、太陽光変換ユニット４の太陽光吸收量を増加し、集光カバー６は、外界環境が太陽光変換ユニット４及び四つの第二電極４２を破損するのを防止する。絶縁体３を第一導電体１に設け、第二導電体２を絶縁体３に設けると、一つの本体５が形成され、その本体５は方柱状を成す。
【００１５】
（実施例３、４）
図５から図８にはそれぞれ、本考案の実施例３の分解図及び側面断面図、実施例４の分解図及び側面断面図を示す。図に示すとおり、本考案の太陽光発電装置を応用した回路板７は、一つの第一導電層板７１、一つの第二導電層板７２、一つの絶縁層板７３を含む。その内、絶縁層板７３は第一導電層板７１上に設け、第二導電層板７２は絶縁層板７３上に設けており、三層板７１、７２、７３が形成する回路板７は、回路板７上方から最低一つの円柱状内置槽７４を加工しており、内置槽７４の第二導電層板７２に位置する箇所の周囲縁には、一つのメスネジ山７４１を設ける。一つの上蓋板８は一つの貫通孔８１を備えており、上蓋板８周囲縁には一つのオスネジ山８２を設ける。太陽光発電装置を回路板７上方から回路板７の内置槽７４に置いた後、上蓋板８のオスネジ山８２は、内置槽７４のメスネジ山７４１に螺合され、太陽光発電装置の集光カバー６が、上蓋板８の貫通孔８１を貫通することにより、太陽光発電装置は、内置槽７４中に固定され、並びに、太陽光発電装置の第一導電体１は、回路板７の第一導電層板７１に電気接触し、太陽光発電装置の第二導電体２は、回路板７の第二導電層板７２に電気接触する。
【００１６】
また、形成された回路板７はまた、回路板７下方から最低一つの円柱状内置槽７４を加工可能であり、内置槽７４の第一導電層板７１箇所に位置する周囲縁には、メスネジ山７４１を設け、内置槽７４の第二導電層板７２に位置する箇所に、貫通孔７４２を設け、下蓋板９周囲縁には、オスネジ山９１を設ける。太陽光発電装置が回路板７下方から回路板７の内置槽７４に入れられた後、下蓋板９のオスネジ山９１は内置槽７４のメスネジ山７４１を螺合し、太陽光発電装置の集光カバー６が内置槽７４の貫通孔７４２を貫通することにより、太陽光発電装置は内置槽７４中に固定され、並びに、太陽光発電装置の第一導電体１は、回路板７の第一導電層板７１に電気接触、太陽光発電装置の第二導電体２は回路板７の第二導電層板７２に電気接触する。太陽光発電装置を内置槽７４に固定した後、太陽光変換ユニット４は、太陽光が変換した電気エネルギーを第一電極４１及び第二電極４２から吸収し、それぞれ第一導電体１及び第二導電体２に伝え、その後更に、回路板７の第一導電層板７１及び第二導電層板７２に伝えて、回路板７上の電気使用装置（未図示）もしくは電気貯蔵装置（未図示）に電気供給する。
【００１７】
本考案の太陽光発電装置を装着する場合は、電極の正負を考えずに、太陽光発電装置を回路板の内置槽に入れて固定するだけでよく、組み立てが簡単で、同様に、取り外しの過程も十分に簡単で時間を節約することができる。
【００１８】
前述したとおり、本考案は、特許の三要件、つまり、新規性、進歩性、産業上の利用性に完全に符合するものである。新規性と進歩性について言えば、本考案は、第一導電体、絶縁体、及び第二導電体を重ね合わせ、第一導電体の導電突出部が絶縁体及び第二導電体を貫通した後に導電部を露出させており、太陽光変換ユニットを導電部に装着し、並びに、第二導電体を電気接続するものであり、これにより、太陽光発電装置は回路板に簡単に装着でき回路板から簡単に取り外せる効果を発揮する。また、産業上の利用性について言えば、本考案から生み出される商品は、現在の市場の需要を十分に満たすものである。
【図面の簡単な説明】
【００１９】
【図１】本考案の最良で具体的な実施例１の分解図である。
【図２】本考案の最良で具体的な実施例１の組み合わせ図である。
【図３】本考案の最良で具体的な実施例２の組み合わせ図である。
【図４】本考案の最良で具体的な実施例２の側面断面図である。
【図５】本考案の最良で具体的な実施例３の実施例１の分解図である。
【図６】本考案の最良で具体的な実施例３の実施例１の側面断面図である。
【図７】本考案の最良で具体的な実施例４の分解図である。
【図８】本考案の最良で具体的な実施例４の側面断面図である。
【符号の説明】
【００２０】
１        第一導電体
１１      導電突出部
１１１    導電部
２        第二導電体
２１      貫通孔
３        絶縁体
３１      絶縁嵌合部
４        太陽光変換ユニット
４１      第一電極
４２      第二電極
５        本体
６        集光カバー
７        回路板
７１      第一導電層板
７２      第二導電層板
７３      絶縁層板
７４      内置槽
７４１    メスネジ山
７４２    貫通孔
８        上蓋板
８１      貫通孔
８２      オスネジ山
９        下蓋板
９１      オスネジ山
【図１】
0003136013.tif 000003
【図２】
0003136013.tif 000004
【図３】
0003136013.tif 000005
【図４】
0003136013.tif 000006
【図５】
0003136013.tif 000007
【図６】
0003136013.tif 000008
【図７】
0003136013.tif 000009
【図８】
0003136013.tif 000010